(57)【要約】【課題】便座を回動起立させる際に、屈まずにスイッチ操作ができるようにすること。【解決手段】便器１２後方に位置するケース１４に枢着された便座２３がスイッチ操作で使用位置から所定角度だけ回動した起立位置に変移されるようにした温水洗浄便座装置において、前記スイッチ操作は床面４１に放射される光ビーム３１が使用者の足で遮光されたときになされるようにしたこと。【選択図】  図２
2004321447.tif 000002
【特許請求の範囲】
【請求項１】
便器後方に位置するケースに枢着された便座がスイッチ操作で使用位置から所定角度だけ回動した起立位置に変移されるようにした温水洗浄便座装置において、前記スイッチ操作は床面に放射される光ビームが使用者の足で遮光されたときになされるようにしてなる、温水洗浄便座装置。
【発明の詳細な説明】
【０００１】
【発明の属する技術分野】
本発明は、温水洗浄便座装置に関する。
【０００２】
【従来の技術】
周知のように、温水洗浄便座においては、便器後方に位置するケースには便座が枢着されており、男子が小用する場合は、ケースの袖部に設けられたスイッチを操作して、便座を使用位置から所定角度だけ回動した起立位置に変移されるようになっている（例えば特許文献１参照）。
【０００３】
【特許文献１】
特開２００１−２５８７９６（第１〜３頁、図１〜３）
【０００４】
【発明が解決しようとする課題】
上記した従来の温水洗浄便座装置においては、便座を回動操作させるためのスイッチはケースの袖部に設けられている。しかして、ケースの袖部に設けられているスイッチは、使用者が便座に着座したとき操作がし易い位置にあるが、便器の前に立った男性使用者が小用のため便座を跳ね上げるべくスイッチ操作を行う場合、男性使用者は屈まねばならず、特に、長身の男性にとっては、多少の苦痛ないしは煩わしさを感じていた。
【０００５】
それ故に、本発明は、かような不具合のない、温水洗浄便座装置を提供することを、技術的課題とする。
【０００６】
【課題を解決するための手段】
上記した課題を解決するために講じた技術的手段は、便器後方に位置するケースに枢着された便座がスイッチ操作で使用位置から所定角度だけ回動した起立位置に変移されるようにした温水洗浄便座装置において、前記スイッチ操作は床面に放射される光ビームが使用者の足で遮光されたときになされるようにしたことである。
【０００７】
【発明の実施の形態】
図１〜図９に依拠して、本発明にかかる温水洗浄便座装置の実施形態について説明する。
【０００８】
温水洗浄便座装置１０は、便器１２の後部上面に固定される本体部１４Ａ及び本体部１４Ａの一端部から前方に延在する袖部１４Ｂからなるケース１４を備える。ケース１４の内部には、周知の脱臭装置２７や温水洗浄機構１３０が収容されている。ケース１４の中央膨出部１４Ｃ内には、駆動機構２５が配設されており、この駆動機構２５は、駆動回路２６からの指示により、後述するように便座２４及び便蓋２３の回動操作を行う。すなわち、図示しないモータを一方向に回転制御することにより、便蓋２３（便座２４）を図１・図２に示す使用位置から、所定角度だけ便器１２の後方側に回動ないし跳ね上げて、起立した不使用位置に変移させるようになっている。また、モータを他方向に回転制御することにより、便蓋２３（便座２４）を不使用位置から、所定角度だけ便器１２の前方側に回動ないし降下させて、使用位置に変移させるようになっている。
【０００９】
ケース１４の中央膨出部１４Ｃ内には、また、人体検知センサ２８が設けられており、この人体検知センサ２８は、中央膨出部１４Ｃの前面に設けられた窓２８１を介して、光ビーム２８２ａを発する。
【００１０】
ケース１４の袖部１４Ｂに設けられた操作部２２は、停止スイッチ２２２、お尻洗浄スイッチ２２３、ビデ洗浄スイッチ２２４、洗浄位置選択スイッチ２２５、洗浄強さダイアル２２１、乾燥スイッチ２２６その他のスイッチ類２２７が配設されている。これらは、駆動回路２６に接続されており、いずれかのスイッチが操作されると、温水洗浄機構２５等をして、所定の作動を行わしめるようになっている。尚、図６に示すように、操作部２２と略同じ機能を有するリモコン５が壁に着脱自在に装着されている。
【００１１】
ケース１４の袖部１４Ｂの内部には、床面４１を照準するセンサ２９が配設されている。すなわち、図９に示すように、センサ２９は、焦電センサ２９２及びスポットライト用のＬＥＤ２９４を共通の基板２９６に実装せしめた後、この基板２９６をケーシング２９１に収容することにより構成される。しかして、ケーシング２９１の下面には、穴２９３及び穴２９５が形成されており、ＬＥＤ２９４が発せられた光３１は穴２９５を通過し、床面４１に反射して、穴２９３を通過して焦電センサ２９２にて検知されるようになっている。尚、ケーシング２９１の上部の側方には穴２９７が形成されており、この穴２９７にネジ（図示略）を通すことにより、ケーシング２９１がケース１４の袖部１４Ｂの内壁に固定される。
【００１２】
しかして、使用者がトイレ空間にエントリすると、人体検知センサ２８から照射された光ビーム２８２ａは、使用者にて反射し、その旨、図示しない受光部にて認知される。この状態の下、床面４１近傍において、使用者が足で光３１を遮ると、光３１の焦電センサ２９２への入射が遮断されて、駆動回路２６は駆動機構２５をして、便座２４を回動起立せしめる。これにより、便座２４は不使用位置に変移される。
【００１３】
尚、図示の状態では、光３１は、床面４１に対して円錐を描くような態様で発せられるようになっているが、穴２９５にレンズ（図示略）を装着することにより、光３１の投影域３０を、略ズン胴とせしめることが出来る。これによれば、床面４１から離れた個所でも、使用者は足で光３１を遮ることが出来る。
【００１４】
以上、本発明の実施の形態について説明したが、本発明は上述した実施の形態に限定される意図はなく、本発明の趣旨に沿った形態の温水洗浄便座装置であれば、どのようなものでもよい。
【００１５】
【発明の効果】
請求項１の発明によれば、便器後方に位置するケースに枢着された便座がスイッチ操作で使用位置から所定角度だけ回動した起立位置に変移されるようにした温水洗浄便座装置において、前記スイッチ操作は床面に放射される光ビームが使用者の足で遮光されたときに行われるので、便座を回動起立させる際には、使用者は屈む必要がない。
【図面の簡単な説明】
【図１】本発明にかかる温水洗浄便座装置の一実施態様の側面図である。
【図２】図１の温水洗浄便座装置の平面図である。
【図３】図１の温水洗浄便座装置の側面透視図である。
【図４】図１の温水洗浄便座装置の平面透視図である。
【図５】図１の温水洗浄便座装置の操作部の一例の詳細説明図である。
【図６】図１の温水洗浄便座装置のリモコンの外観図である。
【図７】図１の温水洗浄便座装置の作動時の平面図である。
【図８】図１の温水洗浄便座装置の作動時の側面図である。
【図９】第１センサの説明用断面図である。
【符号の説明】
１２・・・便器
１４・・・ケース
１４Ｂ・・・袖部
２９２・・・センサ
【図１】
2004321447.tif 000003
【図２】
2004321447.tif 000004
【図３】
2004321447.tif 000005
【図４】
2004321447.tif 000006
【図５】
2004321447.tif 000007
【図６】
2004321447.tif 000008
【図７】
2004321447.tif 000009
【図８】
2004321447.tif 000010
【図９】
2004321447.tif 000011